(57)【要約】【課題】作業者の手や工具の影による照明ムラの発生を防ぎ、工具の先端や手元まで確実に光を到達させて十分な照度を確保することが可能なリング状照明器具を提供する。【解決手段】リング状照明器具は、長手方向に対して収納部４ａと，布状の弾性部材からなる接続部４ｂが交互に設けられ，長手方向の一端に固定部４ｃが設けられた取付ベルト４と、短手方向（幅方向）の同一端に設けられた凹状部５に先端部を露出させた状態で収納部４ａに収納されるＬＥＤ（発光ダイオード）からなる発光部２とを備え、取付ベルト４が円筒状をなした際に互いに当接する固定部４ｃの内面及び収納部４ａの外面には、一対の固定手段６ａ，６ａが取り付けられている。【選択図】図１
2010097918.tif 000002
【特許請求の範囲】
【請求項１】
発光部がリング状に配置されるように，作業者の手や棒状工具の側面等に巻き付け可能な装着手段を用いて取り付けられるリング状照明器具において、
前記装着手段の長手方向に配設される複数の収納部と、
前記発光部に接続される電源供給手段とを備え、
前記発光部は前記装着手段の短手方向の同一端に先端部を露出させた状態で前記収納部に収納されることを特徴とするリング状照明器具。
【請求項２】
前記装着手段は，弾性部材によって形成される接続部と，前記収納部とが長手方向に対して交互に設けられた取付ベルトからなり、前記収納部の一端に，前記発光部が収納される凹状部が設けられたことを特徴とする請求項１記載のリング状照明器具。
【請求項３】
前記接続部は蛇腹構造を有することを特徴とする請求項２記載のリング状照明器具。
【請求項４】
前記凹状部の内壁面に反射面が形成されたことを特徴とする請求項２又は請求項３に記載のリング状照明器具。
【請求項５】
前記収納部は，互いにヒンジ部を介して回動自在に連結され、このヒンジ部は，その回転軸が前記装着手段の短手方向と平行をなすように設けられることを特徴とする請求項１記載のリング状照明器具。
【請求項６】
前記装着手段は，互いに係合可能な一対の固定手段を備えたことを特徴とする請求項１乃至請求項５のいずれか１項に記載のリング状照明器具。
【発明の詳細な説明】
【技術分野】
【０００１】
本発明は、作業者の手元を照らすリング状照明器具に係り、特に、死角が生じ難く、かつ、作業者の手や工具のいずれにも装着可能なリング状照明器具に関する。
【背景技術】
【０００２】
一般家庭において手芸や裁縫等を行う場合あるいは工場においてネジ締め作業や半田付け作業等を行う場合、作業に必要な照度を確保するために、天井照明とは別に補助照明が設けられる。この種の補助照明としては、例えば、作業台に固定されたものや工具に組み込まれたものが知られている。しかしながら、作業台に補助照明が固定されていると、作業者が移動できないという課題があった。また、補助照明が工具に組み込まれている場合には、他の工具を使用する際に利用できないという課題があった。そこで、このような課題に対処するべく、従来、様々なタイプの手元作業用補助照明が開発されている。そして、それに関して既に幾つかの発明や考案が開示されている。
【０００３】
例えば、特許文献１には、指に対して簡単に取り付けたり、取り外したりすることができ、光を集中させて手元を効率よく照らすことが可能な「手元用照明器具」に関する発明が開示されている。
特許文献１に開示された発明は、親指と人差し指にそれぞれ着脱可能に巻付けられる親指用巻付体及び人差し指用巻付体と、この親指用巻付体及び人差し指用巻付体にそれぞれ配設されるＬＥＤと、このＬＥＤに電流を供給する電源供給部とを備えるものである。
このような構造によれば、本器具を指に対して簡単に取り付けたり、取り外したりすることができる。また、本器具は指先を露出させた状態で指に取り付けられるため、指先を使うような細かな作業を行う場合にも障害とならない。さらに、手で作業を行う際に、ＬＥＤから放出される光を親指と人差し指との間に集中させて、手元を効率よく照らすことが可能である。
【０００４】
また、特許文献２には、手首に装着して指先とその周囲を照射する「携帯指先ランプ」に関する発明が開示されている。
特許文献２に開示された発明は、スイッチノブを有するとともに手首に巻き付けるための帯材が装着された電池収容筐体と、先端に発光部が設けられ，この電池収容筐体から指先位置まで伸長するフレキシブルチューブと、このフレキシブルチューブを通って発光部から電池収容筐体内の一対の端子に接続される被覆導電線とを備えるものである。
このような構造においては、スイッチノブをＯＮにすることにより、中指の爪付近でＬＥＤが発光するため、手先周囲を明るくすることができる。また、フレキシブルチューブを曲げてＬＥＤの位置を変えることによれば、照射場所を簡単に変更することが可能である。
【０００５】
さらに、特許文献３には「作業用簡易照明具」という名称で、携帯性に優れるとともに、両手を使用して作業をしながら手元を照明することができる軽便な照明具に関する発明が開示されている。
特許文献３に開示された発明は、スイッチを有し，乾電池が収納される照明具本体と、小型電球からなる光源と、この光源と乾電池とをスイッチを介して通電する電導線と、この電導線を被包する長尺の可撓管と、この可撓管の先端部と照明具本体にそれぞれ取り付けられる締着バンドとを備えるものである。
このような構造によれば、２つの締着バンドを手腕及び指又は手首にそれぞれ装着して使用した場合、可撓管が手腕の動きに沿って撓むため、指前方へ向いて固定された光源が手の動きに協働して手元を確実に照明するという作用を有する。
【特許文献１】特開２００８−８４８４４号公報
【特許文献２】特開２００７−４８５１８号公報
【特許文献３】特開平８−１３８４０３号公報
【発明の開示】
【発明が解決しようとする課題】
【０００６】
しかしながら、上述の従来技術である特許文献１に開示された発明においては、工具を使って作業をする場合に、工具の影によって暗くなる箇所が発生するという課題があった。また、長い工具を使用する場合には、工具の先端まで十分に光を照射できないという課題があった。
【０００７】
また、特許文献２に開示された発明では、ドライバを使用してネジを締める場合などのように絶えず工具を動かす必要のある作業において、フレキシブルチューブが手の動きに伴って細かく揺れるため、作業の邪魔になるおそれがあった。また、作業者の手や工具の影によって照明ムラが発生するという課題もあった。
【０００８】
特許文献３に開示された発明は、工具を使った作業において、工具の影の発生を抑える構成とはなっていない。従って、工具の影によって照度が不十分となる箇所が発生するおそれがあった。
【０００９】
本発明はかかる従来の事情に対処してなされたものであり、作業者の手や工具の影による照明ムラの発生を防ぎ、工具の先端や手元まで確実に光を到達させて十分な照度を確保することが可能なリング状照明器具を提供することを目的とする。
【課題を解決するための手段】
【００１０】
上記目的を達成するため、請求項１記載の発明は、発光部がリング状に配置されるように，作業者の手や棒状工具の側面等に巻き付け可能な装着手段を用いて取り付けられるリング状照明器具において、装着手段の長手方向に配設される複数の収納部と、発光部に接続される電源供給手段とを備え、発光部は装着手段の短手方向の同一端に先端部を露出させた状態で収納部に収納されることを特徴とするものである。
このような構造のリング状照明器具によれば、リング状に配置された複数の発光部が、工具の先端や手元をそれぞれ異なる角度から照らし出すという作用を有する。
【００１１】
また、請求項２記載の発明は、請求項１記載のリング状照明器具において、装着手段は，弾性部材によって形成される接続部と，収納部とが長手方向に対して交互に設けられた取付ベルトからなり、収納部の一端に，発光部が収納される凹状部が設けられたことを特徴とするものである。
このような構造のリング状照明器具によれば、発光部から照射される光が凹状部によって円周方向に拡げられるという作用を有する。また、工具等に装着する際に、接続部が伸縮することで、工具等の大きさや側面等の形状にあわせて取付ベルトの一部が容易に変形するという作用を有する。特に、接続部を伸長させた状態で取付ベルトを工具等に装着した場合、接続部の弾性回復力に起因する締め付け力が取付ベルトに発生する。その結果、リング状照明器具が工具等に対して固定される。
【００１２】
請求項３記載の発明は、請求項２記載のリング状照明器具において、接続部は蛇腹構造を有することを特徴とするものである。
このような構造のリング状照明器具においては、請求項２記載の発明に比べて取付ベルトがさらに容易に伸縮するという作用を有する。
【００１３】
請求項４記載の発明は、請求項２又は請求項３に記載のリング状照明器具において、凹状部の内壁面に反射面が形成されたことを特徴とするものである。
このような構造のリング状照明器具によれば、発光部が発した光が凹状部の内壁面によって前方に反射されるという作用を有する。
【００１４】
請求項５記載の発明は、請求項１記載のリング状照明器具において、収納部は，互いにヒンジ部を介して回動自在に連結され、このヒンジ部は，その回転軸が装着手段の短手方向と平行をなすように設けられることを特徴とするものである。
このような構造のリング状照明器具においては、複数の収納部の装着面が工具等の側面に接触するようにして装着手段を工具等に巻き付けた場合、収納部がヒンジ部の回転軸を中心として回動し、工具等の側面に対して収納部の装着面の密着性が高まるという作用を有する。また、複数の収納部にそれぞれ取り付けられた発光部が工具等を中心とする仮想の円周の少なくとも一部を構成するように配置されるという作用を有する。
【００１５】
請求項６記載の発明は、請求項１乃至請求項５のいずれか１項に記載のリング状照明器具において、装着手段は，互いに係合可能な一対の固定手段を備えたことを特徴とするものである。
このような構造のリング状照明器具においては、一対の固定手段を互いに係合させることによって、工具等に巻き付けられた状態で装着手段が固定され、リング状に配置された発光部の状態が維持されるという作用を有する。
【発明の効果】
【００１６】
以上説明したように、本発明の請求項１に記載のリング状照明器具においては、工具の先端や手元を複数の発光部によってリング状に照らすことにより、作業者の手や工具の影による照明ムラの発生を防ぐことができる。
【００１７】
本発明の請求項２に記載のリング状照明器具によれば、工具の先端や手元まで確実に光を到達させて、十分な照度を確保することが可能である。また、各接続部を伸縮させることにより、リング状に配置された複数の発光部の位置をそれぞれ調整することが可能である。
【００１８】
本発明の請求項３に記載のリング状照明器具によれば、リング状に配置された発光部の位置の調整を請求項２記載の発明よりもさらに容易に行うことができる。
【００１９】
本発明の請求項４に記載のリング状照明器具によれば、少ないエネルギーで効率よく手元を照射することができる。
【００２０】
本発明の請求項５に記載のリング状照明器具によれば、収納部を工具等の側面に対して確実に固定することにより、発光部の姿勢を安定させ、作業中における光軸のぶれを抑えることが可能である。また、複数の発光部から、それぞれ異なる角度で対象物に光を照射させることにより、作業者の手や工具等の影による照明ムラの発生を防いで、工具等の先端まで確実に光を到達させることができる。従って、十分な照度を確保することが可能である。さらに、収納部の分離及び連結が可能であるため、設計時に収納部の数を容易に増減することが可能である。従って、用途に応じて発光部の数を調整するなどの設計変更を安価に行うことができる。
【００２１】
本発明の請求項６に記載のリング状照明器具によれば、工具の側面等に対する装着手段の取り付け及び取り外しを容易に行うことができる。加えて、不用意に装着手段が外れるおそれがないため、安全性が高まる。
【発明を実施するための最良の形態】
【００２２】
以下に、本発明の最良の実施の形態に係るリング状照明器具の実施例について説明する。
【実施例１】
【００２３】
リング状照明器具の実施例１について図１及び図２を用いて説明する（特に、請求項１乃至請求項４及び請求項６に対応）。
図１は本発明の実施の形態に係るリング状照明器具の実施例１の外観斜視図である。また、図２（ａ）及び（ｂ）はそれぞれ実施例１のリング状照明器具の平面図及び正面図である。
本実施例のリング状照明器具は、発光部がリング状に配置されるように，作業者の手や棒状工具の側面等に巻き付け可能な装着手段を用いて取り付けられるものであり、図１に示すように、工具１を中心としてリング状に配置される４個の発光部２と、この発光部２を工具１に取り付けるための装着手段である取付ベルト４とを備えている。
取付ベルト４は長手方向に対して収納部４ａと接続部４ｂが交互に設けられており、収納部４ａには短手方向（幅方向）の同一端に凹状部５が設けられている。この凹状部５は、取付ベルト４の長手方向に長い凹状部であり、発光部２からの光を取付ベルト４の長手方向、すなわち、リング状照明器具の装着時における円周方向に放射可能に形成されている。
また、取付ベルト４は、使用時において、長手方向の両端近傍の外面及び内面が重ね合わされて円筒状をなすように構成されている。すなわち、取付ベルト４の長手方向の一端には、その他端の収納部４ａの外面に重なり合うように固定部４ｃが設けられている。そして、互いに当接する固定部４ｃの内面及び収納部４ａの外面には、フック状の面ファスナと、ループ状の面ファスナからなる一対の固定手段６ａ，６ａが設けられている。
【００２４】
図２（ａ）及び（ｂ）に示すように、取付ベルト４は平面視略矩形状をなしている。そして、長手方向に対して略等間隔に設けられた４つの収納部４ａは、布状の弾性部材からなる接続部４ｂを介して接続されている。また、ＬＥＤ（発光ダイオード）からなる発光部２は、先端部を凹状部５に露出させた状態で電池３とともに取付ベルト４の収納部４ａに収納されている。
電池３は電源供給部であり、発光部２に電気的に接続されている。そして、電池３は配線７を介してＯＮ−ＯＦＦスイッチ８に接続されている。すなわち、ＯＮ−ＯＦＦスイッチ８を操作することにより、発光部２の点灯状態と消灯状態が一斉に、あるいは個別に切り替えられる構造となっている。また、凹状部５の内壁面には金属メッキが施されて反射面が形成されている。
なお、配線７は蛇腹構造をなす接続部４ｂの中空部分に、この接続部４ｂの伸縮に対応可能なようにＵ字型の予備長を形成させて配設されているため、接続部４ｂの伸縮動作によって配線７が切断されたり、配線７によって接続部４ｂの伸縮動作が阻害されたりするおそれはない。すなわち、接続部４ｂが蛇腹構造であることにより、取付ベルト４は容易に伸縮可能となっている。
【００２５】
このような構造のリング状照明器具によれば、取付ベルト４が棒状の工具１に巻き付けられた状態において、発光部２が工具１を中心としてリング状に配置されるという作用を有する。加えて、凹状部５は発光部２が発する光を円周方向に拡げつつ、前方に向かって反射するという作用を有する。また、取付ベルト４は工具１の大きさや側面等の形状に応じて伸縮可能であるため、接続部４ｂを伸長させた状態で取付ベルト４を工具１に装着した場合には、接続部４ｂの弾性回復力の作用により取付ベルト４が工具１に固定される。このとき、重なり合った取付ベルト４の両端に設けられたフック状の面ファスナとループ状の面ファスナが係合するため、取付ベルト４の形状は円筒状のまま維持される。すなわち、フック状の面ファスナとループ状の面ファスナからなる一対の固定手段６ａ，６ａは取付ベルト４が外れないように保持するという作用を有する。
【００２６】
以上説明したように、本実施例のリング状照明器具によれば、４つの発光部２が発する光を凹状部５で反射させることにより、工具１の先端や手元を少ないエネルギーで効率よくリング状に照らすことができる。従って、作業者の手や工具１の影による照明ムラの発生を防ぐとともに、工具１の先端や手元まで確実に光を到達させて、十分な照度を確保することが可能である。また、接続部４ｂを伸縮させることにより、リング状に配置された４つの発光部２の位置を容易に調整することができる。さらに、工具１などに対して、取付ベルト４が不用意に外れないように確実に固定することができる。これにより、安全性が高まる。また、工具１の側面等に対する取り付け及び取り外しを容易に行うことができる。
【００２７】
なお、本発明のリング状照明器具は、本実施例に示す場合に限定されるものではない。例えば、電池３は必ずしも取付ベルト４に内蔵されていなくとも良い。また、電池３は繰り返し充電可能なタイプや使い捨てタイプのいずれであっても良い。さらに、電源供給部として電池３のような直流電源に代えて交流電源を使用することもできる。そして、発光部２の個数は本実施例に示したものに限らず、適宜変更可能である。また、凹状部５の内壁面に金属メッキを施す代わりに、凹状部５の内部に金属製の反射部材を設置しても良い。さらに、固定手段６ａとして、面ファスナに代えてシート状のマグネットを用いても良い。また、本実施例ではプラスチック製の収納部４ａとゴム製の接続部４ｂを用いているが、これに限定されるものではなく、収納部４ａ及び接続部４ｂの少なくとも一方は金属製であっても良い。
【実施例２】
【００２８】
図３は実施例２のリング状照明器具の正面図である。また、図４（ａ）及び（ｂ）はそれぞれ実施例２のリング状照明器具を構成する補助ベルトの平面図及び正面図である。なお、図１又は図２に示した構成要素については、同一の符号を付してその説明を省略する。
図３に示すように、本実施例のリング状照明器具は実施例１に対してさらに補助ベルト９を備えたことを特徴とする。すなわち、実施例１のリング状照明器具では棒状工具等に取付ベルト４を直接巻き付けるのに対し、本実施例のリング状照明器具では棒状工具等に対し、まず、補助ベルト９を巻き付け、この補助ベルト９の上に取付ベルト４を巻き付ける構成となっている。
補助ベルト９は、長手方向に対して支持部９ａと接続部９ｂが交互に設けられており、長手方向の一端には、その他端の支持部９ａの外面に重なり合うように固定部９ｃが設けられている。また、工具等に巻き付けた際に、互いに当接する固定部９ｃの内面及び支持部９ａの外面には、フック状の面ファスナと、ループ状の面ファスナからなる一対の固定手段６ｂ，６ｂが設けられている。
【００２９】
図４（ａ）及び（ｂ）に示すように、軟性ゴム薄膜からなる補助ベルト９は平面視略矩形状をなし、内部にゲル状のシリコンが封入された袋状体からなる４つの支持部９ａがシート状の接続部９ｂを介して互いに接続された構造となっている。
このような構造のリング状照明器具においては、接続部４ａが弾性部材からなり、支持部９ａが内部にゲル状のシリコンを封入した袋状体であることから、接続部４によって接続される２つの収納部４ａ，４ａは、それぞれの発光部２，２の光軸を互いに傾斜可能に支持部９ａ，９ａによって支持される。そして、このとき、発光部２の光軸の傾斜状態は支持部９ａによって維持される。また、本実施例のリング状照明器具を電動工具等に装着した場合、支持部９ａが電動工具の振動を吸収するという作用を有する。さらに、収納部４ａの形状に応じて変形する支持部９ａは、せん断方向の力に対して大きな摩擦抵抗となる。これにより、補助ベルト９に対する取付ベルト４のずれが防止される。
【００３０】
以上説明したように、本実施例のリング状照明器具によれば、装着時において円筒状の取付ベルト４の軸心方向に対して発光部２の光軸を所望の角度だけ傾斜させ、作業者の手や工具の影を生じ難くすることにより照明ムラの発生を容易に防ぐことができる。また、電動工具のように振動が発生するものを使用した場合であっても発光部２に振動が伝わり難いため、照明がちらつくおそれがない。これにより、作業性が向上する。
【００３１】
なお、本実施例では支持部９ａの内部にシリコンが封入されているが、これに限定されるものではない。すなわち、収納部４ａの傾斜状態を維持するのに十分な粘性を有するゲル状の軟性材であれば、シリコン以外のものであっても良い。また、補助ベルト９の接続部９ｂを取付ベルト４の接続部４ａのように弾性部材で形成しても良い。この場合、取付ベルト４の場合と同様に、接続部９ｂの収縮力を利用して工具等に対する補助ベルト９の装着を確実なものとすることができる。さらに、補助ベルト９に対する取付ベルト４のずれをより確実に防止するため、取付ベルト４に対する係止手段を補助ベルト９に設けても良い。
【実施例３】
【００３２】
リング状照明器具の実施例３について図５乃至図７を用いて説明する（特に、請求項５に対応）。
図５は本発明の実施の形態に係るリング状照明器具の実施例３の外観斜視図である。また、図６は実施例３のリング状照明器具を装着面側から見た外観図である。さらに、図７（ａ）は実施例３のリング状照明器具の変形例を示す平面図であり、（ｂ）及び（ｃ）はそれぞれ同図（ａ）のＸ−Ｘ線矢視断面図及びＹ−Ｙ線矢視断面図である。なお、図１又は図２に示した構成要素については、同一の符号を付してその説明を省略する。さらに、図７（ａ）ではストラップの図示を省略し、（ｃ）では発光部２のハッチングを省略している。また、図７（ｂ）はＯＮ−ＯＦＦスイッチが押し込まれた状態を示している。
図５に示すように、本実施例のリング状照明器具は、ＬＥＤからなる発光部２をそれぞれ有する収納部１１ａ〜１１ｃと、作業者の手１０に巻き付け可能なストラップ１２ａ，１２ｂとを備えている。また、収納部１１ａ〜１１ｃはヒンジ部１３ａ，１３ｂを介して互いに連結されており、ストラップ１２ａ，１２ｂは収納部１１ａ〜１１ｃの両端近傍に設けられたスリット１４ａ，１４ｂに挿通されている。すなわち、ストラップ１２ａ，１２ｂは収納部１１ａ〜１１ｃを作業者の手１０に一体として装着するための装着手段を構成している。
【００３３】
図６に示すように、ストラップ１２ａ，１２ｂの長手方向に配設される収納部１１ａ〜１１ｃは、両側面にヒンジ部１３ａ，１３ｂがそれぞれ設けられている。矢印Ａで示すように、収納部１１ｂのヒンジ部１３ａは収納部１１ａのヒンジ部１３ｂ，１３ｂの間に配置されるとともに、これらのヒンジ部１３ａ，１３ｂは図示しないピンを介して回動自在に連結されている。また、収納部１１ｃのヒンジ部１３ａは収納部１１ｂのヒンジ部１３ｂ，１３ｂの間に配置されるとともに、これらのヒンジ部１３ａ，１３ｂも同様に図示しないピンを介して回動自在に連結されている。そして、ヒンジ部１３ａ，１３ｂは、その回転軸１５がストラップ１２ａ，１２ｂの短手方向と平行をなすように設けられている。これにより、収納部１１ａ〜１１ｃは回転軸１５を中心として回動自在となっている。また、収納部１１ａ〜１１ｃは、ピンを抜き差しすることにより、分離あるいは連結が容易な構造となっている。なお、ピンと、このピンが挿入されるヒンジ部１３ａ，１３ｂの長孔（図示せず）の内周面との間には所定の摩擦力が発生する。そして、この摩擦力のため、リング状照明器具を使用している最中に、ピンがヒンジ部１３ａ，１３ｂから勝手に抜け落ちることはない。
【００３４】
スリット１４ａ，１４ｂは、収納部１１ａ〜１１ｃの装着面１６側の両端近傍に形成されている。従って、作業者の手１０の甲に収納部１１ａ〜１１ｃの装着面１６を接触させた状態で、ストラップ１２ａ，１２ｂを作業者の手１０に巻き付けた場合、収納部１１ａ〜１１ｃの両端が作業者の手１０の甲に対して確実に固定される。また、図示していないが、ストラップ１２ａ，１２ｂには、それぞれ長手方向の両端近傍にフック状の面ファスナと，ループ状の面ファスナが設けられている。すなわち、これらの面ファスナによってストラップ１２ａ，１２ｂは、両端部がそれぞれ係合可能となっている。なお、ストラップ１２ａ，１２ｂはスリット１４ａ，１４ｂの内部で固定されておらず、ストラップ１２ａ，１２ｂを作業者の身体や工具等に装着していない場合には、長さの調整や交換を容易に行うことが可能な構造となっている。
【００３５】
収納部１１ａ〜１１ｃには、電池３が発光部２の電源供給部としてそれぞれ収納されている。電池３は、収納部１１ａ〜１１ｃにおいて発光部２と反対側の端部に設けられた開口部１７から収納部１１ａ〜１１ｃの内部へと矢印Ｂで示す向きに挿入される。開口部１７には雌ネジ１７ａが螺刻されており、この雌ネジ１７ａと螺合する雄ネジ１８ａを有する蓋１８によって閉塞される構造となっている。さらに、開口部１７から収納部１１ａ〜１１ｃの内部に水等が侵入しないように、電池３と蓋１８の間にはシールリング１９が設置されている。
また、電池３は配線２０を介してＯＮ−ＯＦＦスイッチ（図示せず）に接続されている。すなわち、発光部２の点灯状態と消灯状態は、このＯＮ−ＯＦＦスイッチを操作することで、一斉に、あるいは個別に切り替え可能となっている。
【００３６】
このような構造のリング状照明器具においては、収納部１１ａ〜１１ｃの装着面１６を作業者の手１０の甲に接触させた状態でストラップ１２ａ，１２ｂを作業者の手１０に巻き付けた場合、収納部１１ａ〜１１ｃが回転軸１５を中心として回動し、手１０の甲に対する装着面１６の密着性が高まるという作用を有する。また、収納部１１ａ〜１１ｃに取り付けられた３つの発光部２が作業者の手１０を中心とする仮想の円周の一部を構成するように配置されるという作用を有する。
【００３７】
以上説明したように、本実施例のリング状照明器具によれば、収納部１１ａ〜１１ｃを作業者の手１０に対して確実に固定することで、発光部２の姿勢を安定させ、作業中における光軸のぶれを抑えることができる。また、３つの発光部２から、それぞれ異なる角度で対象物に光が照射されるため、作業者の手や工具等の影による照明ムラの発生を防いで、工具等の先端まで確実に光を到達させることができる。従って、十分な照度を確保することが可能である。さらに、収納部１１ａ〜１１ｃの分離及び連結が可能であるとともに、収納部１１ａ〜１１ｃの間の電気的な接続が配線２０のみによってなされていることから、設計時に収納部の数を増減して発光部の数を用途に応じて容易に調整することが可能である。これにより、製造コストが削減される。
【００３８】
なお、本発明のリング状照明器具は、本実施例に示す場合に限定されるものではない。すなわち、図６を用いて説明したリング状照明器具は、作業者の手１０だけでなく、工具等にも装着可能である。また、発光部の数も、図６に示した場合に限定されるものではなく、工具等の径に応じて適宜変更可能である。さらに、収納部１１ａ〜１１ｃのそれぞれに対してＯＮ−ＯＦＦスイッチ２１を設けることにより、発光部２の点灯状態を個別に切り替え可能な構造とすることもできる。この場合、対象物の形状や照射角度等に応じて適正な照射状態が実現されるように照度を調節することが可能である。また、収納部１１ａ〜１１ｃの間に配線２０を設ける必要がないため、収納部１１ａ〜１１ｃの分離及び連結が図６に示した場合よりもさらに容易である。
さらに、図７（ａ）乃至（ｃ）に示すように、収納部１１ａ〜１１ｃの代わりに収納部１１ｄ，１１ｅを備え、収納部１１ｅの後端のみにスリット１４ｃを設けた構造としても良い。この場合、図６の収納部１１ａ〜１１ｃに比べ、収納部１１ｄ，１１ｅを小型化することができる。なお、収納部１１ｄ，１１ｅにはヒンジ部１３ｃ，１３ｄがそれぞれ設けられており、ヒンジ部１３ｃ，１３ｄはピン２２を介して回動自在に連結されている。
なお、本願発明において「発光部がリング状に配置される」とは、実施例１に示した場合だけでなく、本実施例に示したように、装着手段が巻き付けられる対象物を中心として発光部が仮想の円周上の一部を構成するように配置された場合をも含む概念を意味している。
【産業上の利用可能性】
【００３９】
以上説明したように、請求項１乃至請求項６に記載された発明は、作業者の手や工具に限らず、各種の棒状体に装着して端部及びその前方を照射する必要がある場合に適用可能である。
【図面の簡単な説明】
【００４０】
【図１】本発明の実施の形態に係るリング状照明器具の実施例１の外観斜視図である。
【図２】（ａ）及び（ｂ）はそれぞれ実施例１のリング状照明器具の平面図及び正面図である。
【図３】実施例２のリング状照明器具の正面図である。
【図４】（ａ）及び（ｂ）はそれぞれ実施例２のリング状照明器具を構成する補助ベルトの平面図及び正面図である。
【図５】本発明の実施の形態に係るリング状照明器具の実施例３の外観斜視図である。
【図６】実施例３のリング状照明器具を装着面側から見た外観図である。
【図７】（ａ）は実施例３のリング状照明器具の変形例を示す平面図であり、（ｂ）及び（ｃ）はそれぞれ同図（ａ）のＸ−Ｘ線矢視断面図及びＹ−Ｙ線矢視断面図である。
【符号の説明】
【００４１】
１…工具  ２…発光部  ３…電池  ４…取付ベルト  ４ａ…収納部  ４ｂ…接続部  ４ｃ…固定部  ５…凹状部  ６ａ，６ｂ…固定手段  ７…配線  ８…ＯＮ−ＯＦＦスイッチ  ９…補助ベルト  ９ａ…支持部  ９ｂ…接続部  ９ｃ…固定部  １０…手  １１ａ〜１１ｅ…収納部  １２ａ，１２ｂ…ストラップ  １３ａ〜１３ｄ…ヒンジ部  １４ａ〜１４ｃ…スリット  １５…回転軸  １６…装着面  １７…開口部  １７ａ…雌ネジ  １８…蓋  １８ａ…雄ネジ  １９…シールリング  ２０…配線  ２１…ＯＮ−ＯＦＦスイッチ  ２２…ピン
【図１】
2010097918.tif 000003
【図２】
2010097918.tif 000004
【図３】
2010097918.tif 000005
【図４】
2010097918.tif 000006
【図５】
2010097918.tif 000007
【図６】
2010097918.tif 000008
【図７】
2010097918.tif 000009
【手続補正書】
【提出日】平成21年6月5日(2009.6.5)
【手続補正１】
【補正対象書類名】特許請求の範囲
【補正対象項目名】全文
【補正方法】変更
【補正の内容】
【特許請求の範囲】
【請求項１】
発光部がリング状に配置されるように，作業者の手や棒状工具の側面等に巻き付け可能な装着手段を用いて取り付けられるリング状照明器具において、
前記装着手段の長手方向に配設される複数の収納部と、
前記発光部に接続される電源供給手段とを備え、
前記発光部は前記装着手段の短手方向の同一端に先端部を露出させた状態で前記収納部に収納され、
前記収納部は、回転軸となるピンが抜き差し可能に装着される一対のヒンジ部を介して互いに回動自在に，かつ分離可能に連結され、
このヒンジ部は，前記ピンが前記装着手段の短手方向と平行をなすように設けられることを特徴とするリング状照明器具。
【請求項２】
発光部がリング状に配置されるように，作業者の手や棒状工具の側面等に巻き付け可能な装着手段を用いて取り付けられるリング状照明器具において、
前記装着手段の長手方向に配設される複数の収納部と、
前記発光部に接続される電源供給手段とを備え、
前記発光部は前記装着手段の短手方向の同一端に先端部を露出させた状態で前記収納部に収納され、
前記装着手段は，伸縮性を有する弾性部材によって形成される接続部と，前記収納部とが長手方向に対して交互に設けられた取付ベルトからなり、前記収納部の一端に，前記発光部が収納される凹状部が設けられたことを特徴とするリング状照明器具。
【請求項３】
前記接続部は蛇腹構造を有することを特徴とする請求項２記載のリング状照明器具。
【請求項４】
前記凹状部の内壁面に反射面が形成されたことを特徴とする請求項２又は請求項３に記載のリング状照明器具。
【請求項５】
前記装着手段は，互いに係合可能な一対の固定手段を備えたことを特徴とする請求項１乃至請求項４のいずれか１項に記載のリング状照明器具。
【手続補正２】
【補正対象書類名】明細書
【補正対象項目名】００１０
【補正方法】変更
【補正の内容】
【００１０】
上記目的を達成するため、請求項１記載の発明は、発光部がリング状に配置されるように，作業者の手や棒状工具の側面等に巻き付け可能な装着手段を用いて取り付けられるリング状照明器具において、装着手段の長手方向に配設される複数の収納部と、発光部に接続される電源供給手段とを備え、発光部は装着手段の短手方向の同一端に先端部を露出させた状態で収納部に収納され、収納部は、回転軸となるピンが抜き差し可能に装着される一対のヒンジ部を介して互いに回動自在に，かつ分離可能に連結され、このヒンジ部は，ピンが装着手段の短手方向と平行をなすように設けられることを特徴とするものである。
このような構造のリング状照明器具によれば、リング状に配置された複数の発光部が、工具の先端や手元をそれぞれ異なる角度から照らし出すという作用を有する。また、複数の収納部の装着面が工具等の側面に接触するようにして装着手段を工具等に巻き付けた場合、収納部がヒンジ部の回転軸を中心として回動し、工具等の側面に対して収納部の装着面の密着性が高まるという作用を有する。さらに、複数の収納部にそれぞれ取り付けられた発光部が工具等を中心とする仮想の円周の少なくとも一部を構成するように配置されるという作用を有する。
【手続補正３】
【補正対象書類名】明細書
【補正対象項目名】００１１
【補正方法】変更
【補正の内容】
【００１１】
また、請求項２記載の発明は、発光部がリング状に配置されるように，作業者の手や棒状工具の側面等に巻き付け可能な装着手段を用いて取り付けられるリング状照明器具において、装着手段の長手方向に配設される複数の収納部と、発光部に接続される電源供給手段とを備え、発光部は装着手段の短手方向の同一端に先端部を露出させた状態で収納部に収納され、装着手段は，伸縮性を有する弾性部材によって形成される接続部と，収納部とが長手方向に対して交互に設けられた取付ベルトからなり、収納部の一端に，発光部が収納される凹状部が設けられたことを特徴とするものである。
このような構造のリング状照明器具によれば、発光部から照射される光が凹状部によって円周方向に拡げられるという作用を有する。また、工具等に装着する際に、接続部が伸縮することで、工具等の大きさや側面等の形状にあわせて取付ベルトの一部が容易に変形するという作用を有する。特に、接続部を伸長させた状態で取付ベルトを工具等に装着した場合、接続部の弾性回復力に起因する締め付け力が取付ベルトに発生する。その結果、リング状照明器具が工具等に対して固定される。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
請求項５記載の発明は、請求項１乃至請求項４のいずれか１項に記載のリング状照明器具において、装着手段は，互いに係合可能な一対の固定手段を備えたことを特徴とするものである。
このような構造のリング状照明器具においては、一対の固定手段を互いに係合させることによって、工具等に巻き付けられた状態で装着手段が固定され、リング状に配置された発光部の状態が維持されるという作用を有する。
【手続補正６】
【補正対象書類名】明細書
【補正対象項目名】００１６
【補正方法】変更
【補正の内容】
【００１６】
以上説明したように、本発明の請求項１に記載のリング状照明器具においては、工具の先端や手元を複数の発光部によってリング状に照らすことにより、作業者の手や工具の影による照明ムラの発生を防ぐことができる。また、収納部を工具等の側面に対して確実に固定することにより、発光部の姿勢を安定させ、作業中における光軸のぶれを抑えることが可能である。さらに、複数の発光部から、それぞれ異なる角度で対象物に光を照射させることにより、作業者の手や工具等の影による照明ムラの発生を防いで、工具等の先端まで確実に光を到達させることができる。従って、十分な照度を確保することが可能である。さらに、収納部の分離及び連結が可能であるため、設計時に収納部の数を容易に増減することが可能である。従って、用途に応じて発光部の数を調整するなどの設計変更を安価に行うことができる。
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】変更
【補正の内容】
【００２１】
本発明の請求項５に記載のリング状照明器具によれば、工具の側面等に対する装着手段の取り付け及び取り外しを容易に行うことができる。加えて、不用意に装着手段が外れるおそれがないため、安全性が高まる。
【手続補正９】
【補正対象書類名】明細書
【補正対象項目名】００２３
【補正方法】変更
【補正の内容】
【００２３】
リング状照明器具の実施例１について図１及び図２を用いて説明する（特に、請求項２乃至請求項５に対応）。
図１は本発明の実施の形態に係るリング状照明器具の実施例１の外観斜視図である。また、図２（ａ）及び（ｂ）はそれぞれ実施例１のリング状照明器具の平面図及び正面図である。
本実施例のリング状照明器具は、発光部がリング状に配置されるように，作業者の手や棒状工具の側面等に巻き付け可能な装着手段を用いて取り付けられるものであり、図１に示すように、工具１を中心としてリング状に配置される４個の発光部２と、この発光部２を工具１に取り付けるための装着手段である取付ベルト４とを備えている。
取付ベルト４は長手方向に対して収納部４ａと接続部４ｂが交互に設けられており、収納部４ａには短手方向（幅方向）の同一端に凹状部５が設けられている。この凹状部５は、取付ベルト４の長手方向に長い凹状部であり、発光部２からの光を取付ベルト４の長手方向、すなわち、リング状照明器具の装着時における円周方向に放射可能に形成されている。
また、取付ベルト４は、使用時において、長手方向の両端近傍の外面及び内面が重ね合わされて円筒状をなすように構成されている。すなわち、取付ベルト４の長手方向の一端には、その他端の収納部４ａの外面に重なり合うように固定部４ｃが設けられている。そして、互いに当接する固定部４ｃの内面及び収納部４ａの外面には、フック状の面ファスナと、ループ状の面ファスナからなる一対の固定手段６ａ，６ａが設けられている。
【手続補正１０】
【補正対象書類名】明細書
【補正対象項目名】００３２
【補正方法】変更
【補正の内容】
【００３２】
リング状照明器具の実施例３について図５乃至図７を用いて説明する（特に、請求項１に対応）。
図５は本発明の実施の形態に係るリング状照明器具の実施例３の外観斜視図である。また、図６は実施例３のリング状照明器具を装着面側から見た外観図である。さらに、図７（ａ）は実施例３のリング状照明器具の変形例を示す平面図であり、（ｂ）及び（ｃ）はそれぞれ同図（ａ）のＸ−Ｘ線矢視断面図及びＹ−Ｙ線矢視断面図である。なお、図１又は図２に示した構成要素については、同一の符号を付してその説明を省略する。さらに、図７（ａ）ではストラップの図示を省略し、（ｃ）では発光部２のハッチングを省略している。また、図７（ｂ）はＯＮ−ＯＦＦスイッチが押し込まれた状態を示している。
図５に示すように、本実施例のリング状照明器具は、ＬＥＤからなる発光部２をそれぞれ有する収納部１１ａ〜１１ｃと、作業者の手１０に巻き付け可能なストラップ１２ａ，１２ｂとを備えている。また、収納部１１ａ〜１１ｃはヒンジ部１３ａ，１３ｂを介して互いに連結されており、ストラップ１２ａ，１２ｂは収納部１１ａ〜１１ｃの両端近傍に設けられたスリット１４ａ，１４ｂに挿通されている。すなわち、ストラップ１２ａ，１２ｂは収納部１１ａ〜１１ｃを作業者の手１０に一体として装着するための装着手段を構成している。
【手続補正１１】
【補正対象書類名】明細書
【補正対象項目名】００３９
【補正方法】変更
【補正の内容】
【００３９】
以上説明したように、請求項１乃至請求項５に記載された発明は、作業者の手や工具に限らず、各種の棒状体に装着して端部及びその前方を照射する必要がある場合に適用可能である。
【手続補正書】
【提出日】平成21年9月7日(2009.9.7)
【手続補正１】
【補正対象書類名】特許請求の範囲
【補正対象項目名】全文
【補正方法】変更
【補正の内容】
【特許請求の範囲】
【請求項１】
発光部が少なくともリング状の一部をなすように配置され，作業者の手や棒状工具の側面等に巻き付け可能なストラップを用いて取り付けられるリング状照明器具において、
前記ストラップの長手方向に配設される複数の収納部と、
前記発光部に接続される電源供給手段とを備え、
前記ストラップは前記収納部の両端近傍に設けられたスリットに挿通され、
前記発光部は前記ストラップの短手方向の同一端に先端部を露出させた状態で前記収納部に収納され、
前記収納部は、回転軸となるピンが抜き差し可能に装着される一対のヒンジ部を介して互いに回動自在に，かつ分離可能に連結され、
このヒンジ部は，前記ピンが前記ストラップの短手方向と平行をなすように設けられることを特徴とするリング状照明器具。
【請求項２】
前記ストラップは，互いに係合可能な一対の固定手段を備えたことを特徴とする請求項１に記載のリング状照明器具。
【手続補正２】
【補正対象書類名】明細書
【補正対象項目名】００１０
【補正方法】変更
【補正の内容】
【００１０】
上記目的を達成するため、請求項１記載の発明は、発光部が少なくともリング状の一部をなすように配置され，作業者の作業者の手や棒状工具の側面等に巻き付け可能なストラップを用いて取り付けられるリング状照明器具において、ストラップの長手方向に配設される複数の収納部と、発光部に接続される電源供給手段とを備え、ストラップは収納部の両端近傍に設けられたスリットに挿通され、発光部はストラップの短手方向の同一端に先端部を露出させた状態で収納部に収納され、収納部は、回転軸となるピンが抜き差し可能に装着される一対のヒンジ部を介して互いに回動自在に，かつ分離可能に連結され、このヒンジ部は，ピンがストラップの短手方向と平行をなすように設けられることを特徴とするものである。
このような構造のリング状照明器具によれば、リング状に配置された複数の発光部が、工具の先端や手元をそれぞれ異なる角度から照らし出すという作用を有する。また、複数の収納部の装着面が工具等の側面や手の甲に接触するようにしてストラップを工具等や作業者の手に巻き付けた場合、収納部がヒンジ部の回転軸を中心として回動し、工具等の側面や手の甲に対して収納部の装着面の密着性が高まるという作用を有する。さらに、複数の収納部にそれぞれ取り付けられた発光部が工具等若しくは作業者の手を中心とする仮想の円周の少なくとも一部を構成するように配置されるという作用を有する。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１５
【補正方法】変更
【補正の内容】
【００１５】
請求項２記載の発明は、請求項１に記載のリング状照明器具において、ストラップは，互いに係合可能な一対の固定手段を備えたことを特徴とするものである。
このような構造のリング状照明器具においては、一対の固定手段を互いに係合させることによって、工具等や作業者の手に巻き付けられた状態でストラップが固定され、リング状に配置された発光部の状態が維持されるという作用を有する。
【手続補正７】
【補正対象書類名】明細書
【補正対象項目名】００１６
【補正方法】変更
【補正の内容】
【００１６】
以上説明したように、本発明の請求項１に記載のリング状照明器具においては、工具の先端や手元を複数の発光部によってリング状に照らすことにより、作業者の手や工具の影による照明ムラの発生を防ぐことができる。また、収納部を工具等の側面や作業者の手に対して確実に固定することにより、発光部の姿勢を安定させ、作業中における光軸のぶれを抑えることが可能である。さらに、複数の発光部から、それぞれ異なる角度で対象物に光を照射させることにより、作業者の手や工具等の影による照明ムラの発生を防いで、工具等の先端まで確実に光を到達させることができる。従って、十分な照度を確保することが可能である。さらに、収納部の分離及び連結が可能であるため、設計時に収納部の数を容易に増減することが可能である。従って、用途に応じて発光部の数を調整するなどの設計変更を安価に行うことができる。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２１
【補正方法】変更
【補正の内容】
【００２１】
本発明の請求項２に記載のリング状照明器具によれば、工具の側面等や作業者の手に対するストラップの取り付け及び取り外しを容易に行うことができる。加えて、不用意にストラップが外れるおそれがないため、安全性が高まる。
【手続補正１２】
【補正対象書類名】明細書
【補正対象項目名】００２３
【補正方法】変更
【補正の内容】
【００２３】
リング状照明器具の実施例１について図１及び図２を用いて説明する。
図１は本発明の実施の形態に係るリング状照明器具の実施例１の外観斜視図である。また、図２（ａ）及び（ｂ）はそれぞれ実施例１のリング状照明器具の平面図及び正面図である。
本実施例のリング状照明器具は、発光部がリング状に配置されるように，作業者の手や棒状工具の側面等に巻き付け可能な装着手段を用いて取り付けられるものであり、図１に示すように、工具１を中心としてリング状に配置される４個の発光部２と、この発光部２を工具１に取り付けるための装着手段である取付ベルト４とを備えている。
取付ベルト４は長手方向に対して収納部４ａと接続部４ｂが交互に設けられており、収納部４ａには短手方向（幅方向）の同一端に凹状部５が設けられている。この凹状部５は、取付ベルト４の長手方向に長い凹状部であり、発光部２からの光を取付ベルト４の長手方向、すなわち、リング状照明器具の装着時における円周方向に放射可能に形成されている。
また、取付ベルト４は、使用時において、長手方向の両端近傍の外面及び内面が重ね合わされて円筒状をなすように構成されている。すなわち、取付ベルト４の長手方向の一端には、その他端の収納部４ａの外面に重なり合うように固定部４ｃが設けられている。そして、互いに当接する固定部４ｃの内面及び収納部４ａの外面には、フック状の面ファスナと、ループ状の面ファスナからなる一対の固定手段６ａ，６ａが設けられている。
【手続補正１３】
【補正対象書類名】明細書
【補正対象項目名】００３２
【補正方法】変更
【補正の内容】
【００３２】
リング状照明器具の実施例３について図５乃至図７を用いて説明する（特に、請求項１及び請求項２に対応）。
図５は本発明の実施の形態に係るリング状照明器具の実施例３の外観斜視図である。また、図６は実施例３のリング状照明器具を装着面側から見た外観図である。さらに、図７（ａ）は実施例３のリング状照明器具の変形例を示す平面図であり、（ｂ）及び（ｃ）はそれぞれ同図（ａ）のＸ−Ｘ線矢視断面図及びＹ−Ｙ線矢視断面図である。なお、図１又は図２に示した構成要素については、同一の符号を付してその説明を省略する。さらに、図７（ａ）ではストラップの図示を省略し、（ｃ）では発光部２のハッチングを省略している。また、図７（ｂ）はＯＮ−ＯＦＦスイッチが押し込まれた状態を示している。
図５に示すように、本実施例のリング状照明器具は、ＬＥＤからなる発光部２をそれぞれ有する収納部１１ａ〜１１ｃと、作業者の手１０に巻き付け可能なストラップ１２ａ，１２ｂとを備えている。また、収納部１１ａ〜１１ｃはヒンジ部１３ａ，１３ｂを介して互いに連結されており、ストラップ１２ａ，１２ｂは収納部１１ａ〜１１ｃの両端近傍に設けられたスリット１４ａ，１４ｂに挿通されている。すなわち、ストラップ１２ａ，１２ｂは収納部１１ａ〜１１ｃを作業者の手１０に一体として装着するための装着手段を構成している。
【手続補正１４】
【補正対象書類名】明細書
【補正対象項目名】００３９
【補正方法】変更
【補正の内容】
【００３９】
以上説明したように、請求項１乃至請求項２に記載された発明は、作業者の手や工具に限らず、各種の棒状体に装着して端部及びその前方を照射する必要がある場合に適用可能である。